(57)【特許請求の範囲】
【請求項１】
少なくとも流し台等が設けられているフレーム部と、物品が収納可能なキャビネット部とが分離独立して構成されているシステムキッチンであって、前記キャビネット部は、前記フレーム部の空間部に対して出し入れ自在の各種サイズから成る複数個の物品収納ユニット体から成り、前記フレーム部の空間部には配管類が存在しないように構成され、前記空間部は上面側にコンロ部、調理部、流し台及び左右のサイドフレームで囲まれた部分であって、その空間部の容積が、前記複数の物品収納ユニット体を縦に重ねたり、あるいは奥側と手前側に並べて収納することができるように、物品収納ユニット体を組み合わせたものの縦、横、高さの少なくとも２倍以上の整数倍になるように、物品収納ユニット体のサイズが設定されているとともに、前記配管類が、前記フレーム部内または壁面内に隠蔽収容され、配管類が前記フレーム部内の少なくとも一方の面が解放可能な扉で構成されていることを特徴とするシステムキッチン。
【請求項２】
前記フレーム部内に隠蔽収容される配管類は、前記フレーム部内の床面を通して通過するように収容されている請求項１に記載のシステムキッチン。
【請求項３】
前記壁面内に隠蔽収容される配管類は、前記壁面内の床面を通して通過するように収容されている請求項１に記載のシステムキッチン。
【発明の詳細な説明】
【０００１】
【発明の属する技術分野】
本発明は、少なくとも流し台等が設けられているフレーム部と、物品が収納可能なキャビネット部とが分離独立して構成されているシステムキッチンに関する。
【０００２】
【従来の技術】
図４は従来のシステムキッチンの斜視図であって、このシステムキッチン０１は上部に流し台０２とコンロ台０３及び調理部０４があり、下部に各種物品を収納できる引出しや開き戸タイプのキャビネット部０５がシステムキッチンのフレーム枠組み内に一体的に造り付けられており、最下部にはケコミ部０６が形成されて床面０７に設置されている。
【０００３】
このような従来のシステムキッチンにあっては、引出しや開き戸タイプの各種キャビネットがシステムキッチンのフレーム枠組み内に造り付けられたものであるから、キャビネットの広さやその取り付けられている位置により、物品収納箇所が大体決まっていた。しかしながら、例えば図4において、コンロ台０３で使用する大きな調理加熱鍋等はコンロ台０３の真下に置いておきたいが、コンロ台０３の真下の開き扉式キャビネット０５ａはスペース的にそれ程広くなく、既に他の物が収納されているような場合に、中央の広いスペースを有するキャビネット０５ｂを使用せざるを得なかった。
【０００４】
したがって、大きな調理加熱鍋等をコンロ台０３で使用するときは、コンロ台０３から少し離れたキャビネット０５ｂより出し入れしなくてはならず不便であった。そしていかなる物品をどの場所に収納するかは個人差もあり、造りつけのキャビネットでは物品の入れ替えが自由にならず、使いづらいまま使用していた。更に、従来の造りつけのキャビネットを有するシステムキッチンは、ケコミ部０６があるために無効な空間スペースを設けざるを得なかった。
【０００５】
そこで発明者等は鋭意研究の結果、流し台等が設けられているフレーム部とキャビネット部とを分離独立させて、キャビネット部をフレーム部の空間部に対して出し入れ自在にすることで収納の自由度が高められる点に着目し、キャビネット部に納められる物品の収納位置を自由に選定または変更することができるシステムキッチンを開発した。
【０００６】
【発明が解決しようとしている課題】
ところが、物品収納ユニット体が出し入れされるフレーム部の空間部内には、シンクの排水口に連通接続される配水管や、冷水管、温水管ないしガス管がそれぞれ配管されているため、これらが障害となって空間部内の領域が充分に生かされないことから、折角開発した物品収納ユニット体の機能が充分に発揮できない問題を有していた。
【０００７】
本発明は、このような問題点に着目してなされたもので、フレーム部の空間部に各種配管類が存在しないようにすることで、物品収納ユニット体の収納空間を最大限に広く利用することができ、且つ配管類の操作部等のメンテナンスも簡便に行うことができるシステムキッチンを提供することを目的とする。
【０００８】
【課題を解決するための手段】
上記目的を達成するために、本発明のシステムキッチンは、少なくとも流し台等が設けられているフレーム部と、物品が収納可能なキャビネット部とが分離独立して構成されているシステムキッチンであって、前記キャビネット部は、前記フレーム部の空間部に対して出し入れ自在の各種サイズから成る複数個の物品収納ユニット体から成り、前記フレーム部の空間部には配管類が存在しないように構成され、前記空間部は上面側にコンロ部、調理部、流し台及び左右のサイドフレームで囲まれた部分であって、その空間部の容積が、前記複数の物品収納ユニット体を縦に重ねたり、あるいは奥側と手前側に並べて収納することができるように、物品収納ユニット体を組み合わせたものの縦、横、高さの少なくとも２倍以上の整数倍になるように、物品収納ユニット体のサイズが設定されているとともに、前記配管類が、前記フレーム部内または壁面内に隠蔽収容され、配管類が前記フレーム部内の少なくとも一方の面が解放可能な扉で構成されていることを特徴としている。
この特徴によれば、キャビネット部がフレーム部と分離独立しているので、キャビネット部に納められる物品の収納位置を自由に選定または変更することができ、しかもフレーム部の空間部には配管類が存在しておらず、配管類がフレーム部内または壁面内に隠蔽されるので、美観が向上するだけでなくフレーム部の空間部を最大限に広く利用することができ、フレーム部または壁面の予め決められた少なくとも一方の面が開放可能な扉で構成されているので、配管類の操作部等のメンテナンスも簡便に行うことができる。更に空間部の容積が、各種サイズから成る物品収納ユニット体を組み合わせたものの縦、横、高さの少なくとも２倍以上の整数倍になるように、物品収納ユニット体のサイズが設定されているので、フレーム部の空間部の容積を有効利用することができる。
【００１０】
上記システムキッチンにおいて、前記フレーム部内に隠蔽収容される配管類が、前記フレーム部内の床面を通して通過するように収容されていることが好ましい。
このようにすれば、床面に対する配管位置が予め設定されるので、流し台等が設置される前に所定の配管作業を行うことができ、配管類をフレーム部内に整列して配管することができるので点検作業も容易になる。
【００１１】
上記システムキッチンにおいて、前記壁面内に隠蔽収容される配管類が、前記壁面内の床面を通して通過するように収容されていることが好ましい。
このようにすれば、流し台等が設置される前に配管類を、床面を通して壁面内の所定位置に配管することができ、配管類を壁面内に整列して配管することができるので点検作業も容易になる。
【００１２】
【発明の実施の形態】
以下、本発明の実施例を図面に基づいて説明する。
【００１３】
図１は、物品収納ユニット体をフレーム部に収納する前の状態を示し、配管類がフレーム部内及び壁面内に隠蔽収容された本発明の一実施形態にかかるシステムキッチンの概観斜視図であり、図２は本発明のシステムキッチンを背面側から見た斜視図である。
【００１４】
図１、図２により本発明のシステムキッチンの概要について説明すると、システムキッチン１０は上面側にコンロ部１２ａ、調理部１２ｂ、流し台１２ｃ、及び左右のサイドフレーム１２ｄ、１２ｅないし流し台１２ｃ前面のカウンターフレーム１２ｆ等を有するフレーム部１２と、各種サイズの物品収納ユニット体１４ａ、１４ｂ、１４ｃ、１４ｄから成るキャビネット部１４で構成されている。
【００１５】
フレーム部１２とキャビネット部１４は分離独立して構成されているので、これらの物品収納ユニット体１４ａ〜１４ｄはフレーム部１２の下部に形成されている空間部１３に適宜選択して納めることができるのであるが、この空間部を有効に利用するには、その空間部の容積が、１個の物品収納ユニット体の、あるいは複数の物品収納ユニット体を組み合わせたものの縦、横、高さの整数倍になるように、物品収納ユニット体のサイズが設定される。
【００１６】
システムキッチン利用者は自分が使いやすいように、物品収納ユニット体１４ａ〜１４ｄを選定し、その位置を設定してフレーム部１２の下部に形成されている空間部１３に納める。この物品収納ユニット体は各種のサイズが用意されているので、２段、３段と高さ方向に重ねたり、あるいは奥側と手前側の縦に並べて収納することもできる。
【００１７】
そして、例えば物品収納ユニット体１４ｃの如く重量物をたくさん詰め込めるような大きなユニット体においては、下方にキャスタ等を付けて出し入れを容易にするとよい。そして、時節が変わることで物品収納ユニット体の組み替えを行いたい場合も、キャビネット部１４がフレーム部１２に対して造りつけでないので、手軽に組み替え作業をおこなうことができる。また、従来設けていたシステムキッチン下方のケコミ空間も収納空間として有効利用することができる。
【００１８】
次に、図２は、キャスタ付きの物品収納ユニット体１４ｃをシステムキッチン１０の前方からフレーム部１２の下方空間部１３側に押し込む状態を示したもので、通常より厚めに構成された両サイドフレーム１２ｄ、１２ｅの対向する内面には係止バー１６が水平に取り付けられており、一方、物品収納ユニット体１４ｃの背面側には係止具１８が２カ所互いに水平位置に設けられている。
【００１９】
従って、物品収納ユニット体１４ｃをフレーム部１２の下方空間部１３側に押し込むと、物品収納ユニット体１４ｃの背面に取り付けられている係止具１８が係止バー１６と当接した際に、物品収納ユニット体１４ｃは係止バー１６に固設されるようになっている。
【００２０】
次に、本発明に係る配管構造に付き図１を参照して説明する。本実施形態におけるシステムキッチン１０では、流し台１２ｃの蛇口に接続される温水管２４ａ、冷水管２４ｂからなる水道管２４、及び流し台１２ｃの排水口２２に接続される排水管２５ないしコンロ部１２ａ接続されるガス管３２等が配管されている。
【００２１】
先ず、流し台１２ｃの排水口２２に接続される排水管２５は、調理部１２ｂ内を通して右サイドのサイドフレーム１２ｅの内部に収容され、床面を貫通して床下から外部の図示しない排水管に連通接続されている。そして、サイドフレーム１２ｅ内部の排水管２５には、下端に清掃口２６を設けた排水トラップが設けられている。
【００２２】
また、右サイドのサイドフレーム１２ｅの収納空間２８内には、給水器側から床面を通して配管される２本の水道管２４の一部が収容されて、更にサイドフレーム１２ｅの収納空間２８内を通過した水道管２４は、流し台１２ｃ前面のカウンターフレーム１２ｆ内部を通して流し台１２ｃ前面の蛇口２０に接続されている。そして、サイドフレーム１２ｅ内部の水道管２４を構成する温水管２４ａと、冷水管２４ｂには仕切り弁Ｖ１、Ｖ２が設けられている。
【００２３】
更に、左サイドのサイドフレーム１２ｄの収納空間３４内には、外部の図示しないガス本管に連結されたガス管３２が床面を貫通して立ち上がり、コンロ部１２ａに接続されている。そして、サイドフレーム１２ｄの収納空間３４内部のガス管３２には、開閉弁Ｖ３が設けられている。
【００２４】
そこで、右サイドのサイドフレーム１２ｅの一方の面には、予め開閉可能な扉３０が配置されており、排水管２５の排水トラップを清掃する際に清掃口２６を開閉操作し、または、温水管２４ａまたは冷水管２４ｂの仕切り弁Ｖ１、Ｖ２の開閉操作等を行う際に開放して使用することができる。
【００２５】
また、左サイドのサイドフレーム１２ｄの一方の面には、予め開閉可能な扉３５が配置されており、ガス管３２の開閉弁Ｖ３の開閉操作を行う際に開放して使用することができる。尚、これら扉３０ないし３５は、予めシステムキッチンの設計段階でサイドフレーム１２ｄのどちらの面に配置するかを決定することができる。
【００２６】
従って、上記のように構成された本実施形態におけるシステムキッチンによれば、各種サイズの物品収納ユニット体１４ａ、１４ｂ、１４ｃ、１４ｄから構成されたキャビネット部１４がフレーム部１２と分離独立しているので、キャビネット部１４に納められる物品の収納位置を自由に選定または変更することができ、しかもフレーム部の空間部には各種配管類等が存在しないため、フレーム部１２の空間部１３を最大限に広く利用することができる。
【００２７】
また、各種配管類は、左右のサイドフレーム１２ｄ、１２ｅの収納空間２８、３４内部ないし流し台１２ｃ前面のカウンターフレーム１２ｆ内部に隠蔽されるので、美観が向上するだけでなく、サイドフレーム１２ｄ、１２ｅの一方の面が扉３０、３５により開放可能に構成されているので、配管類の仕切弁Ｖ１、Ｖ２及び開閉弁Ｖ３等のメンテナンスを簡便に行うことができる。
【００２８】
そしてまた、左右のサイドフレーム１２ｄ、１２ｅにより、床面に対する配管位置が予め設定されるので、システムキッチン等が設置される前に所定の配管作業を行うことができ、配管類をフレーム部１２の各収納空間２８、３４内に整列して配管することができるので点検作業も容易になる。
【００２９】
次に、本発明のシステムキッチンの他の実施形態にかかる概要に付き図３を参照して説明する。図３は配管類が壁面内に隠蔽収容された本発明の他の実施形態にかかるシステムキッチンの概観斜視図である。尚、前記実施形態にかかる構成部分と同一構成部分については、同一符号を付し、重複する説明を省略する。
【００３０】
図において、符号３８は流し台等が設けられているフレーム部１２に対面して配置される壁面であって、この壁面３８の前面には概要説明は省略するが、前述した実施形態と同一構成のシステムキッチン１１が隣接配置されている。
【００３１】
先ず、流し台１２ｃの排水口２２に接続される排水管２５は、調理部１２ｂ内を通して壁面３８の内部に入り、壁面３８左側のフレーム部１２の下部に形成されている空間部１３に対応する位置に収容され、床面を貫通して床下から外部の図示しない排水管に連通接続されている。
【００３２】
そして、壁面３８内に配置される排水管２５の排水トラップに対応する部位の壁面には開閉可能な扉３６が設けられており、更に、排水管２５に隣接して壁面３８内には給水器側から床面を通して配管される温水管２４ａ、冷水管２４ｂからなる水道管２４が収容されており、温水管２４ａと冷水管２４ｂに設けられる仕切り弁Ｖ１、Ｖ２に対応する部位の壁面には開閉可能な扉３７が設けられている。
【００３３】
一方、コンロ部１２ａの下方に対応する壁面３８内には、外部の図示しないガス本管に連結されたガス管３２が床面を貫通して立ち上がり、コンロ部１２ａに接続されている。そして、壁面３８のガス管３２の開閉弁Ｖ３に対応する部位には開閉可能な扉３５が設けられている。
【００３４】
従って、上記のように構成された本実施形態におけるシステムキッチンによれば、本システムキッチン１１が、流し台等が設けられているフレーム部１２が壁面３８の前面に隣接配置される構成の場合において、配管類の一部が、壁面３８内の床面を通して通過するように収容されるように構成さているので、流し台等のフレーム部１２が設置される前に配管類の一部を、床面を通して壁面３８内の所定位置に配管することができ、配管類を壁面３８内に整列して配管することができるので点検作業を容易に行うことができる。
【００３５】
本実施例では、配管類を収納する領域を、両サイドフレーム内部、または壁面内部に特定したが、これに限らず、両サイドフレームの隣接位置に壁面が設けられる配置構成の場合では、この壁面を利用することも可能であり、フレーム部の空間部に配管類等が存在しない構成であれば良い。
【００３６】
【発明の効果】
本発明によれば、次のような効果が得られる。
【００３７】
（ａ）請求項１に記載の発明によれば、キャビネット部がフレーム部と分離独立しているので、キャビネット部に納められる物品の収納位置を自由に選定または変更することができ、しかもフレーム部の空間部には配管類が存在しておらず、配管類がフレーム部内または壁面内に隠蔽されるので、美観が向上するだけでなくフレーム部の空間部を最大限に広く利用することができ、フレーム部または壁面の予め決められた少なくとも一方の面が開放可能な扉で構成されているので、配管類の操作部等のメンテナンスも簡便に行うことができる。更に空間部の容積が、各種サイズから成る物品収納ユニット体を組み合わせたものの縦、横、高さの少なくとも２倍以上の整数倍になるように、物品収納ユニット体のサイズが設定されているので、フレーム部の空間部の容積を有効利用することができる。
【００３９】
（ｂ）請求項２に記載の発明によれば、床面に対する配管位置が予め設定されるので、流し台等が設置される前に所定の配管作業を行うことができ、配管類をフレーム部内に整列して配管することができるので点検作業も容易になる。
【００４０】
（ｃ）請求項３に記載の発明によれば、流し台等が設置される前に配管類を、床面を通して壁面内の所定位置に配管することができ、配管類を壁面内に整列して配管することができるので点検作業も容易になる。
【図面の簡単な説明】
【図１】物品収納ユニット体をフレーム部に収納する前の状態を示し、配管類がフレーム部内に隠蔽収容された本発明の一実施形態にかかるシステムキッチンの概観斜視図である。
【図２】本発明のシステムキッチンを背面側から見た斜視図である。
【図３】配管類が壁面内に隠蔽収容された本発明の他の実施形態にかかるシステムキッチンの概観斜視図である。
【図４】従来のシステムキッチンの斜視図である。
【符号の説明】
１０、１１                システムキッチン
１２                      フレーム部
１２ａ                    コンロ部
１２ｂ                    調理部
１２ｃ                    流し台
１２ｄ、１２ｅ            サイドフレーム
１２ｆ                    カウンターフレーム
１３                      空間部
１４                      キャビネット部
１４ａ〜１４ｄ            物品収納ユニット体
１６                      係止バー
１８                      係止具
２０                      蛇口
２２                      排水口
２４                      水道管
２４ａ                    温水管
２４ｂ                    冷水管
２５                      排水管
２６                      清掃口
２８                      収納空間
３０、３５、              扉
３２                      ガス管
３４                      収納空間
３６、３７、４０          扉
３８                      壁面
Ｖ１、Ｖ２                仕切弁
Ｖ３                      開閉弁
【図１】
0004936266.tif 000002
【図２】
0004936266.tif 000003
【図３】
0004936266.tif 000004
【図４】
0004936266.tif 000005